(57)【要約】【課題】  部品点数が少なく、スピーカ本体を支持母材に簡単に取り付けることができ、ケースの内部に広い収納空間を形成することができるスピーカ装置を提供する。【解決手段】  スピーカ装置１の取付け機構部２０は、ケース２１の内部に圧縮コイルばね１５と加圧部材２８が収納されて、圧縮コイルばね１５によって加圧部材２８が前面側（Ｚ１側）に付勢されている。そして、ケース２１に形成されたケース側挟持部２４と、加圧部材２８の加圧側挟持部２８ｂとで支持母材１が挟持される。ケース２１の内部には、圧縮コイルばね１５の内側と、加圧部材２８の開口部２９の内部に広い収納空間が存在し、そこに吸音体１１を配置することができる。【選択図】図３
2019125903.tif 000002
【特許請求の範囲】
【請求項１】
スピーカ本体と、前記スピーカ本体を支持母材に取付ける取付け機構部と、を有するスピーカ装置において、
前記取付け機構部は、前記支持母材に形成された支持穴に前面側から装着されるケースと、前記ケースの内部に設けられた加圧部材とを有し、
前記ケースには、前記支持母材の背部側に延びる側壁部と、前記前面側に開口する装着口と、前記支持母材の前面に当接するケース側挟持部とが形成され、
前記加圧部材に、前記ケースの内部に位置する加圧動作部と、前記側壁部から側方に突出して前記支持母材の背面に当接する加圧側挟持部とが設けられ、前記加圧動作部が前記装着口に向けて付勢されて、前記ケース側挟持部と前記加圧側挟持部とで、前記支持母材が挟持可能とされており、
前記加圧動作部は、前記側壁部の壁内面に沿う形状で、前記加圧部材に、前記加圧動作部に囲まれた開口部が形成され、前記ケースに、前記スピーカ本体が装着されるとともに、前記開口部内に、スピーカ装置の構成部材が設置されることを特徴とするスピーカ装置。
【請求項２】
前記ケースの底部と前記加圧動作部との間に圧縮コイルばねが介在しており、前記構成部材は、前記開口部の内部および前記圧縮コイルばねの円筒巻き部の内部空間に設置されている請求項１記載のスピーカ装置。
【請求項３】
前記側壁部に、前記加圧側挟持部を側方へ突出させる突出溝が形成されており、
前記ケースは、前記底部が着脱自在に構成されて、前記底部が外されたときに、前記突出溝が前記側壁部の背部側に解放されて、前記加圧部材と前記圧縮コイルばねとが、背部側から前記ケース内に装着可能とされている請求項２記載のスピーカ装置。
【請求項４】
前記構成部材は、吸音体である請求項１ないし３のいずれかに記載のスピーカ装置。
【請求項５】
前記吸音体が、前記ケースの底部に当たる位置に設置されている請求項４記載のスピーカ装置。
【請求項６】
前記加圧動作部の外周面が、前記ケースの前記側壁部の前記壁内面に案内されて、前記加圧部材が前後方向に移動可能である請求項１ないし５のいずれかに記載のスピーカ装置。
【発明の詳細な説明】
【技術分野】
【０００１】
本発明は、車室内などに設けられた支持母材にスピーカ本体が取り付けられるスピーカ装置に関する。
【背景技術】
【０００２】
特許文献１に、ツイータ装置をダッシュボードなどの取付部材に取付ける取付構造に関する発明が記載されている。
この取付構造は、ブラケットと押さえ金具を有している。ブラケットは、ダッシュボードなどの取付部材に形成された取付孔の内部に設置される。ブラケットの底部に２本の突出ガイドが固定されており、押さえ金具は、ブラケットの内部において突出ガイドに摺動自在に装着され、突出ガイドの外周に挿通されたガイドバネによって、押さえ金具が底部から離れる方向に付勢されている。ブラケットには切欠きが形成されて、押さえ金具が切欠き部から側方に突出し、押さえ金具の突出している部分が当接部となっている。ブラケットに形成されたフランジ部が、取付け部材の表面に設置され、押さえ金具の当接部がガイドバネの付勢力で取付部材の背面に加圧され、取付部材がフランジ部と当接部とで挟持されて、ブラケットが取付部材に固定されている。
【０００３】
ブラケットの底部の中央部に、支柱の先部が掛止され、支柱がブラケットの底部に摺動自在に支持されている。支柱は、押さえ金具の中央部に形成された貫通孔内を通過して上方に延びており、支柱の外周に設けられた支柱バネによって支柱は常に上方へ向けて突出するように付勢されている。ブラケットにツイータ本体が装着されると、支柱からツイータ本体に対して底部から離れる方向への弾性付勢力が与えられ、ブラケットとツイータ本体とのがたつきが規制されている。
【先行技術文献】
【特許文献】
【０００４】
【特許文献１】特開２００２−１８６０７７号公報
【発明の概要】
【発明が解決しようとする課題】
【０００５】
特許文献１に記載された取付構造では、ブラケットの底部に２本の突出ガイドが設けられ、取付部材の背面に当接する当接部を形成している押さえ金具が、この突出ガイドに摺動自在に支持されている。ブラケットの内部の空間に２本の突出ガイドと、これに支持された押さえ金具が存在しているために、ブラケットの内部にツイータ本体以外の構成部材を配置することができず、例えば、吸音体を配置することができない。
【０００６】
また、特許文献１に記載された取付構造では、ブラケットの底部の中央部に、ツイータ本体を付勢するための支柱が設けられているため、ブラケットの底部とツイータ本体との間に配置される部材が多くなり、ケースの内部に構成部材を配置するスペースを確保することがさらに難しくなっている。
【０００７】
さらに、上記取付構造は、ブラケットに、押さえ金具と、２本の突出ガイドおよび２個のガイドバネ、さらに支柱と支柱バネが設けられているため、部品点数が多く、組立工数が多くなり、製造コストが高くなっている。
【０００８】
本発明は上記従来の課題を解決するものであり、少ない部品点数で構成できてスピーカ本体を支持母材に簡単に装着することができ、しかもケースの内部に吸音体などの構成部材を配置するスペースを形成することができるスピーカ装置を提供することを目的としている。
【課題を解決するための手段】
【０００９】
本発明は、スピーカ本体と、前記スピーカ本体を支持母材に取付ける取付け機構部と、を有するスピーカ装置において、
前記取付け機構部は、前記支持母材に形成された支持穴に前面側から装着されるケースと、前記ケースの内部に設けられた加圧部材とを有し、
前記ケースには、前記支持母材の背部側に延びる側壁部と、前記前面側に開口する装着口と、前記支持母材の前面に当接するケース側挟持部とが形成され、
前記加圧部材に、前記ケースの内部に位置する加圧動作部と、前記側壁部から側方に突出して前記支持母材の背面に当接する加圧側挟持部とが設けられ、前記加圧動作部が前記装着口 に向けて付勢されて、前記ケース側挟持部と前記加圧側挟持部とで、前記支持母材が挟持可能とされており、
前記加圧動作部は、前記側壁部の壁内面に沿う形状で、前記加圧部材に、前記加圧動作部に囲まれた開口部が形成され、前記ケースに、前記スピーカ本体が装着されるとともに、前記開口部内に、スピーカ装置の構成部材が設置されることを特徴とするものである。
【００１０】
本発明のスピーカ装置は、例えば、前記ケースの底部と前記加圧動作部との間に圧縮コイルばねが介在しており、前記構成部材は、前記開口部の内部および前記圧縮コイルばねの円筒巻き部の内部空間に設置されているものである。
【００１１】
本発明のスピーカ装置は、前記側壁部に、前記加圧側挟持部を側方へ突出させる突出溝が形成されており、
前記ケースは、前記底部が着脱自在に構成されて、前記底部が外されたときに、前記突出溝が前記側壁部の背部側に解放されて、前記加圧部材と前記圧縮コイルばねとが、背部側から前記ケース内に装着可能とされているものとして構成することができる。
【００１２】
本発明のスピーカ装置は、例えば、前記構成部材が吸音体である。
この場合に、前記吸音体を、前記ケースの底部に当たる位置に設置することが可能である。
【００１３】
本発明のスピーカ装置は、前記加圧動作部の外周面が、前記ケースの前記側壁部の前記壁内面に案内されて、前記加圧部材が前後方向に移動可能であることが好ましい。
【発明の効果】
【００１４】
本発明のスピーカ装置は、スピーカ本体を支持母材に取付けるための取付け機構部が、ケースと加圧部材とで構成され、あるいはケースと加圧部材と付勢部材とで構成される。この最少の部品点数で構成された取付け機構部によって、スピーカ本体を支持母材に取付けることが可能になる。また、加圧部材を有するケースを支持母材の支持穴に装着し、加圧部材を押しながらケースを回転させるだけで支持母材に取付けることができるため、取付け作業が簡単である。
【００１５】
また、ケースの内部では、加圧部材に形成された開口部の内側と、さらに圧縮コイルばねの円筒巻き部の内部空間に、広い収納空間を形成することができる。この収納空間に、吸音体などのようなスピーカ装置の構成部材を配置することが可能となるため、ケースの内部空間を有効利用でき、ケースの高さ寸法が必要以上に大きくなるのを避けることが可能になる。
【図面の簡単な説明】
【００１６】
【図１】本発明の第１実施形態のスピーカ装置を示す斜視図、
【図２】図１に示すスピーカ装置が支持母材に取付けられた状態を示す側面図、
【図３】図１に示すスピーカ装置が支持母材に取付けられた状態を示す断面図、
【図４】図１に示すスピーカ装置の分解斜視図、
【図５】図１に示すスピーカ装置の取付け機構部を支持母材に取付ける作業を説明する斜視図、
【図６】本発明の第２実施形態のスピーカ装置を示す分解斜視図、
【図７】図６に示すスピーカ装置の取付け機構部を構成しているケースと加圧部材および圧縮コイルばねを示す分解斜視図、
【図８】本発明のスピーカ装置に使用されている加圧部材の変形例を示す斜視図、
【発明を実施するための形態】
【００１７】
図１ないし図５を参照して本発明の第１実施形態のスピーカ装置１０の構造を説明する。
【００１８】
図２と図３および図５に、スピーカ装置１０が取り付けられる支持母材１が示されている。支持母材１は、自動車の車室内に現れており、例えばウインドシールドの両側部に立ち上がるように設けられたピラーの一部である。あるいはダッシュボードなどの一部である。支持母材１は、車室内に向けられる前面１ａと、その逆側の背面１ｂを有している。スピーカ装置１０は、Ｚ１方向が前面側であり、Ｚ２方向が背面側である。
【００１９】
図５に示すように、支持母材１に円形の支持穴２が開口している。円形の支持穴２の周縁部の２か所からは、互いに反する方向に延びる切欠き部３が形成されている。
【００２０】
図４に示すように、スピーカ装置１０は、スピーカ本体３０と、スピーカ本体３０を支持母材１に取付けるための取付け機構部２０を有している。またスピーカ本体３０は、その構成部材の１つとして吸音体１１を有している。吸音体は、発泡ウレタン樹脂などで形成されている。
【００２１】
図１ないし図５の各図に示すように、取付け機構部２０はケース２１を有している。ケース２１は、合成樹脂材料で形成されている。ケース２１は、前面側（Ｚ１方向）に向けて開口する円形の装着口２２を有している。装着口２２の内周縁部２２ａには、周方向に向けて一定の角度間隔で装着嵌合部２３が形成されている。装着嵌合部２３は、前面側（Ｚ１側）に開口される挿入溝２３ａと挿入溝２３ａの背面側（Ｚ２側）から連続して円周方向に延びる嵌合凹部２３ｂとを有している。
【００２２】
ケース２１には、装着口２２から側方に延びるケース側挟持部２４が一体に形成されている。ケース側挟持部２４は円周方向で３６０度連続するフランジ部である。ケース２１には、円筒形状の側壁部２５が形成されている。側壁部２５は、装着口２２から背面側（Ｚ２側）に延び出ている。ケース２１は、側壁部２５のＺ２側の端部に底部２６が一体に形成されている。
【００２３】
側壁部２５では、１８０度の間隔を空けた２か所に突出溝２７が形成されている。突出溝２７は、Ｚ１−Ｚ２方向に延びており、フランジ状のケース側挟持部２４の２か所に、突出溝２７の開放部２７ａが形成されている。
【００２４】
取付け機構部２０では、ケース２１の内部に合成樹脂製の加圧部材２８が収納されている。加圧部材２８は、リング状の加圧動作部２８ａと、円周方向に１８０度の角度間隔で、加圧動作部２８ａの外周面から半径方向へ向けて直線状に延びる加圧側挟持部２８ｂとが一体に形成されている。加圧部材２８には、リング形状の加圧動作部２８ａで囲まれた開口部２９が形成されている。
【００２５】
図３の断面図に示すように、加圧部材２８が、ケース２１の内部に収納されると、リング状の加圧動作部２８ａが、側壁部２５の壁内面２５ａに沿って配置されるとともに、加圧側挟持部２８ｂが、突出溝２７を通過して、側壁部２５から側方へ延び出る。そして、加圧動作部２８ａと壁内面２５ａとが最小の隙間を有する状態で、加圧部材２８が突出溝２７に沿ってＺ１−Ｚ２方向へ移動自在となる。加圧動作部２８ａは、その外周面が壁内面２５ａを摺動し、壁内面２５ａに案内されて、加圧部材２８が前後方向（Ｚ１−Ｚ２方向）に移動自在となる。加圧部材２８は、突出溝２７と壁内面２５ａに案内されるため、ケース２１の内部でがたつきたり傾いたりすることなく、前後方向に円滑に移動できるようになる。
【００２６】
ケース２１の底部２６と、加圧部材２８の加圧動作部２８ａとの間に、付勢部材として圧縮コイルばね１５が介在している。図３に示すように、圧縮コイルばね１５の円筒巻き部１５ａは、加圧部材２８の開口部２９内にはみ出すことのない幅寸法で形成されている。圧縮コイルバネ１５において円筒巻き部１５ａで囲まれた内部空間１５ｂと、加圧部材２８の開口部２９とが、ケース２１の内部で底部２６からＺ１方向に向けて連続する収納空間となっている。
【００２７】
図３に、スピーカ本体３０の内部構造が示されている。実施形態のスピーカ本体３０は高音域を発するツイータである。
【００２８】
スピーカ本体３０はハウジング３１を有している。ハウジング３１は合成樹脂材料で形成されている。図３と図４に示すように、ハウジング３１の裾部の外周面には、円周方向へ一定の角度間隔を空けて装着突部３２が一体に形成されている。ハウジング３１に、前面側（Ｚ１側）に向けて開口する発音口３１ａが開口しており、発音口３１ａがグリルカバー３３で覆われている。
【００２９】
ハウジング３１の内部にフレーム部材３４が固定されている。グリルカバー３３の内側にドーム形状の振動板３５が設けられており、振動板３５の周縁部が、弾性エッジ部材３６を介してフレーム部材３４に支持されている。スピーカ本体３０では、ハウジング３１の内部に磁界発生部３７が設けられている。磁界発生部３７は、上部ヨーク３７ａと下部ヨーク３７ｃを有し、上部ヨーク３７ａと下部ヨーク３７ｃの間に中央磁石３７ｂが挟まれている。磁界発生部３７は、下部ヨーク３７ｃの上端部がフレーム部材３４に固定されている。振動板３５には背面側（Ｚ２側）に延びるボビン３８が固定され、ボビン３８にボイスコイル３９が巻かれている。磁界発生部３７では、上部ヨーク３７ａと下部ヨーク３７ｃとの対向部に磁気ギャップＧが形成されており、ボイスコイル３９が磁気ギャップＧの内部に位置している。
【００３０】
次に、支持母材１の支持穴２にスピーカ本体３０を取付ける取付け方法を説明する。
まず、図４に示す部材を用いて取付け機構部２０を組み立てる。この組立作業は、付勢部材である圧縮コイルばね１５をケース２１の装着口２２から筒状の側壁部２５の内部にＺ２方向に向けて挿入し、その上から、加圧部材２８をケース２１に装着する。加圧部材２８は、加圧側挟持部２８ｂを、ケース２１に解放された開放部２７ａから突出溝２７の内部に挿入して加圧側挟持部２８ｂを側壁部２５から側方へ突出させるようにし、また加圧動作部２８ａを、ケース２１の側壁部２５の壁内面２５ａの内側に沿うようにして、圧縮コイルばね１５の上に設置する。
【００３１】
図５に示すように、ケース２１に圧縮コイルばね１５と加圧部材２８が取り付けられた状態で、ケース２１の筒状の側壁部２５を、支持母材１に開口する支持穴２の内部にＺ２方向に向けて挿入する。このとき、ケース２１の突出溝２７から突出する一対の加圧側挟持部２８ｂが、支持母材１の切欠き部３に対向できるように、ケース２１の回転姿勢を調節する。
【００３２】
ケース２１を支持穴２に装着した後に、圧縮コイルばね１５の付勢力に対抗させて加圧部材２８をＺ２方向へ押し込んで、ケース２１に形成されたフランジ部であるケース側挟持部２４を、支持母材１の前面１ａに突き当てるとともに、側壁部２５から側方に突出する一対の加圧側挟持部２８ｂを、支持母材１に形成された切欠き部３の内部に通過させる。加圧部材２８を押し込んだまま、ケース２１を例えば図５に示すα方向へ９０度程度回転させてから加圧部材２８への押し込み力を解除すると、圧縮コイルばね１５の弾性力で、加圧部材２８がＺ１方向へ付勢される。
【００３３】
その結果、図２と図３に示すように、ケース２１に形成されたケース側挟持部２４と、加圧部材２８の加圧側挟持部２８ｂとで、支持母材１が前後から挟持されて、支持母材１に取付け機構部２０が固定される。
【００３４】
図５に示す取付け機構部２０では、突出溝２７の開放部２７ａから加圧側挟持部２８ｂを目視可能となっている。そのため、板状部を有する工具を使用し、板状部を開放部２７ａから突出溝２７の内部に差し込んで、加圧側挟持部２８ｂをＺ２方向へ押しながら、工具を回転させることで、加圧部材２８の押込みとケース２１の回転を一連の作業で行うことができるようになり、ケース２１を支持母材１に簡単に取り付けることが可能になる。
【００３５】
取付け機構部２０が支持母材１に取付けられた後に、ケース２１の装着口２２から側壁部２５の内部に吸音体１１が挿入される。吸音体１１は円柱形状（円板形状）である。
【００３６】
ケース２１の内部では、リング状の加圧動作部２８ａが、側壁部２５の壁内面２５ａに沿うように配置されている。リング状の加圧動作部２８ａの内側には大きな開口面積を有する開口部２９が形成されている。また、ケース２１の底部２６と加圧動作部２８ａとの間に挟まれている圧縮コイルばね１５は、円筒巻き部１５ａで囲まれた内部空間１５ｂを有しており、円筒巻き部１５ａは、加圧動作部２８ａの真下に位置し、図３に示すように、圧縮コイルばね１５は、加圧部材２８の開口部２９内にはみ出さないようになっている。したがって、開口部２９と内部空間１５ｂとで前後に連続する広い容積の収納空間が形成され、吸音体１１の体積が大きくても、吸音体１１を、ケース２１の底部２６に当接するように配置することができ、ケース２１の内部空間を有効に使用することが可能になる。
【００３７】
次に、スピーカ本体３０をケース２１に装着する。図３と図４に示すように、スピーカ本体３０のハウジング３１には、裾部の外周面に、円周方向へ一定の角度間隔を空けて装着突部３２が一体に形成されている。それぞれの装着突部３２を、ケース２１の装着口２２の内周縁部２２ａに形成された装着嵌合部２３の挿入溝２３ａにＺ２方向に向けて挿入し、その後、スピーカ本体３０を時計回りに回転させると、装着突部３２と、装着嵌合部２３の嵌合凹部２３ｂとを凹凸嵌合させることができる。
【００３８】
図３に示すように、ケース２１の内部では、スピーカ本体３０によって吸音体１１がわずかにＺ２方向へ押されるため、吸音体１１の弾性復元率がスピーカ本体３０を前方に押すように作用する。これにより、スピーカ本体３０がケース２１で前後方向にがたつきを生じることなく、しっかりと保持される。
【００３９】
次に、図６と図７を参照して本発明の第２実施形態のスピーカ装置１１０について説明する。
図６に示すように、本発明の第２実施形態のスピーカ装置１１０は、スピーカ本体３０および吸音体１１と、これらを支持母材１に取付けるための取付け機構部１２０を有している。
【００４０】
図７に、取付け機構部１２０の分解斜視図が示されている。取付け機構部１２０は、ケース１２１と、ケース１２１の内部に収納される圧縮コイルばね１５および加圧部材２８を有している。
【００４１】
ケース１２１は、円筒状の側壁部１２５を有しており、Ｚ１方向に解放された装着口１２２には、挿入溝２３ａと嵌合凹部２３ｂを有する装着嵌合部２３が形成されている。また、ケース１２１には、装着口１２２から側方に延びるフランジ形状のケース側挟持部１２４が形成されている。側壁部１２５には、Ｚ１−Ｚ２方向に延びる突出溝１２７が形成されている。突出溝１２７は、ケース側挟持部１２４に開放されておらず、側壁部１２５においてＺ２方向に開放されている。
【００４２】
ケース１２１は底部１２６を有しているが、底部１２６は側壁部１２５に対して着脱自在である。底部１２６には嵌合部１２６ａが設けられており、底部１２６は、側壁部１２５のＺ２方向の開放部１２５ｂに、嵌合部１２６ａを使用した凹凸嵌合によって固定される。または、側壁部１２５のＺ２側の開放部１２５ｂと底部１２６の一方の雄ねじが、他方に雌ねじが形成されて、底部１２６がねじ締めにより着脱自在に取り付けられていてもよい。
【００４３】
取付け機構部１２０の組立て方法は、図７に示すように、ケース１２１から底部１２６を取り外した状態で、加圧部材２８を、開放部１２５ｂから側壁部１２５の内部に挿入する。このとき、加圧部材２８に設けられた一対の加圧側挟持部２８ｂを側壁部１２５に形成されている突出溝１２７に挿入する。次に、圧縮コイルばね１５を、開放部１２５ｂからケース２１の内部に挿入し、側壁部１２５の壁内面１２５ａに沿って配置されている加圧動作部２８ａのＺ２側に向く面に圧縮コイルばね１５の円筒巻き部１５ａを当接させる。そして、底部１２６を側壁部１２５の開放部１２５ｂに装着する。
【００４４】
組み立てられた取付け機構部１２０を、支持母材１に開口する支持穴１０２の内部に挿入する。支持穴１０２は正方形であり、対向する辺１０２ｂの対向幅寸法Ｗ１が、円筒状の側壁部１２５の外径寸法よりもわずかに大きく形成されている。一方、支持穴１０２の角部１０２ａの対向間隔Ｗ２は、加圧部材２８の加圧側挟持部２８ｂが通過できる幅寸法に設定されている。
【００４５】
支持母材１に取付け機構部１２０を取付けるときは、側壁部１２５から側方に突出している加圧側挟持部２８ｂを、支持母材１に形成された支持穴１０２の角部１０２ａに対向させる向きにして、ケース１２１の側壁部１２５を支持母材１の支持穴１０２に挿入する。そして、側壁部１２５の壁内面１２５ａの内側に沿って位置している加圧動作部２８ａをＺ２方向へ押し込み、加圧側挟持部２８ｂを支持母材１の背面側に移動させる。そして、ケース１２１を時計方向（または反時計方向）はほぼ９０度回転させると、加圧側挟持部２８ｂが、支持穴１０２の辺１０２ｂの側方において支持母材１の背面１ｂに対向する。この位置で、加圧動作部２８ａへの押圧力を解除すると、圧縮コイルばね１５の付勢力で加圧側挟持部２８ｂが支持母材１の背面１ｂに押し付けられ、支持母材１が、ケース側挟持部１２４と加圧側挟持部２８ｂとで挟持され、取付け機構部１２０が支持母材１に取付けられる。
【００４６】
その後、ケース１２１内に吸音体１１とスピーカ本体３０が取り付けられるが、その取付け状態は、図３に示した第１実施形態のスピーカ装置１０と同じである。
【００４７】
図６と図７に示す第２実施形態では、図６に示すように取付け機構部１２０が組み立てられた状態で、圧縮コイルばね１５と加圧部材２８がケース１２１内から脱落しないので、取付け機構部１２０の取扱いが容易であり、取付け機構部１２０の支持母材１に対する取付け作業も容易である。
【００４８】
また、図６と図７に示すケース１２１は、ケース側挟持部１２４に突出溝１２７の開放部が現れていないため、支持母材１にスピーカ装置１１０が取付けられた状態で、外観が良好である。
【００４９】
なお、図６に示す正方形の支持穴１０２に、図１ないし図５に記載した第１実施形態のスピーカ装置１０を取付けることも可能である。
【００５０】
図８に、変形例の加圧部材１２８が示されている。
この加圧部材１２８は全体が板ばね材料で形成されている。加圧部材１２８はリング形状の加圧動作部１２８ａと加圧側挟持部１２８ｂが一体に形成されており、加圧動作部１２８ａの内側に大きな開口面積の開口部１２９が形成されている。そして、加圧動作部１２８ａには、Ｚ２方向に向けて突状に曲げられた弾性変形部１２８ｃが設けられている。
【００５１】
この加圧部材１２８は、取付け機構部２０，１２０のケース２１，１２１の底部２６，１２６に押し付けたときに、弾性変形部１２８ｃが弾性変形して弾性反発力を発揮できるようになる。加圧動作部１２８ａに、Ｚ１方向へ弾圧するための付勢部材が一体化されていることになるため、圧縮コイルばね１５が不要になる。
【符号の説明】
【００５２】
１  支持母材
１ａ  前面
１ｂ  背面
２  支持穴
１０  スピーカ装置
１１  吸音体
１５  圧縮コイルばね
１５ａ  円筒巻き部
１５ｂ  内部空間
２０  取付け機構部
２１  ケース
２２  装着口
２４  ケース側挟持部
２５  側壁部
２６  底部
２７  突出溝
２８  加圧部材
２８ａ  加圧動作部
２８ｂ  加圧側挟持部
２９  開口部
３０  スピーカ本体
１１０  スピーカ装置
１２０  取付け機構部
１２１  ケース
１２４  ケース側挟持部
１２５  側壁部
１２５ｂ  開放部
１２６  底部
【図１】
2019125903.tif 000003
【図２】
2019125903.tif 000004
【図３】
2019125903.tif 000005
【図４】
2019125903.tif 000006
【図５】
2019125903.tif 000007
【図６】
2019125903.tif 000008
【図７】
2019125903.tif 000009
【図８】
2019125903.tif 000010